(57)【要約】  本発明に係る表示装置は、映像データを送信する送信ユニット１０１と、前記映像データを受信し、該映像データに基づき、映像を表示する複数の表示ユニット１０２を有し、それぞれの前記表示ユニットが直列に接続され上流側の前記表示ユニットと前記送信ユニットとが接続された表示ユニット群と、を備え、前記送信ユニットは、上流側の前記表示ユニットへ、前記複数の表示ユニットの機能を更新する更新データを送信し、前記表示ユニット群は、上流側の前記表示ユニットから下流側の前記表示ユニットまで前記更新データを伝送し、前記表示ユニット群における前記更新データの記憶状況に関する情報を前記送信ユニットへ送信し、前記送信ユニットは、前記更新データの記憶状況に関する情報に基づき、所定の更新データを再送信するものである。
2017104218.tif 000002
【特許請求の範囲】
【請求項１】
映像データを送信する送信ユニットと、
前記映像データを受信し、該映像データに基づき、映像を表示する複数の表示ユニットを有し、それぞれの前記表示ユニットが直列に接続され上流側の前記表示ユニットと前記送信ユニットとが接続された表示ユニット群と、
を備え、
前記送信ユニットは、上流側の前記表示ユニットへ、前記複数の表示ユニットの機能を更新する更新データを送信し、
前記表示ユニット群は、上流側の前記表示ユニットから下流側の前記表示ユニットまで前記更新データを伝送し、前記表示ユニット群における前記更新データの記憶状況に関する情報を前記送信ユニットへ送信し、
前記送信ユニットは、前記更新データの記憶状況に関する情報に基づき、所定の更新データを再送信する
ことを特徴とする表示装置。
【請求項２】
前記更新データの記憶状況に関する情報は、
それぞれの前記複数の表示ユニットが誤り無く受信できた更新データの範囲のうち最小の範囲である
ことを特徴とする請求項１に記載の表示装置。
【請求項３】
前記表示ユニットは、該表示ユニットが誤り無く受信できた更新データの範囲と、該表示ユニットよりも下流の前記表示ユニットが誤り無く受信できた更新データの範囲のうち最小の範囲との比較を行ない、該表示ユニットを含めた前記更新データの記憶状況に関する情報を決定し該表示ユニットよりも上流の前記表示ユニットへ送信する
ことを特徴とする請求項２に記載の表示装置。
【請求項４】
前記更新データの記憶状況に関する情報は、前記表示ユニット群の各表示ユニットが、それぞれ誤り無く受信できた前記更新データの末尾アドレスを示す情報である
ことを特徴とする請求項１から請求項３のいずれか一項に記載の表示装置。
【請求項５】
前記更新データの記憶状況に関する情報は、前記表示ユニット群の各表示ユニットが、それぞれ誤り無く受信できた前記更新データの末尾アドレスの最小値である
ことを特徴とする請求項４記載の表示装置。
【請求項６】
前記表示ユニットは、該表示ユニットが誤り無く受信できた前記更新データの末尾アドレスと、該表示ユニットよりも下流の前記表示ユニットがそれぞれ誤り無く受信できた前記更新データの末尾アドレスの最小値との比較を行ない、該表示ユニットを含めた前記更新データの記憶状況に関する情報を決定し該表示ユニットよりも上流の前記表示ユニットへ送信する
ことを特徴とする請求項５に記載の表示装置。
【請求項７】
前記送信ユニットは、前記更新データの記憶状況に関する情報に基づき、前記更新データのデータ領域のうち、前記表示ユニット群のいずれかの前記表示ユニットが受信した前記更新データに誤りがあったデータ領域以降を前記所定の更新データとして再送信する
ことを特徴とする請求項１から請求項６のいずれか一項に記載の表示装置。
【請求項８】
前記表示ユニットは、受信した更新データについて誤りがあるかの検出を行なう誤り検出部と、
前記誤り検出部が誤りありと検知した回数をカウントする誤りカウント部と、
前記誤りありと検知した回数が予め設定した所定の閾値よりも大きくなったときに、誤りが頻発していることを示す誤り頻発情報と該表示ユニットの識別子とを含む誤り頻発表示ユニット情報を前記送信ユニットへ送信する
ことを特徴とする請求項１から請求項７のいずれか一項に記載の表示装置。
【請求項９】
前記送信ユニットは、前記更新データを送信するときに、初回は前記更新データに誤り訂正符号を使用せずに送信し、
前記更新データの再送信の回数が増える度に誤り訂正能力の高い誤り訂正符号を用いて送信し、
前記表示ユニットは、前記送信ユニットが前記更新データの送信の回数に基づいて使用される誤り訂正符号に対応して、受信した前記更新データについて誤り訂正を行なう
ことを特徴とする請求項１から請求項８のいずれか一項に記載の表示装置。
【請求項１０】
前記表示ユニット群を複数備えることを特徴とする請求項１から請求項９のいずれか一項に記載の表示装置。
【請求項１１】
前記表示ユニットは、プログラマブルロジックデバイスを含み、更新データは、前記プログラマブルロジックデバイスの回路データを更新するものであることを特徴とする請求項１から請求項１０のいずれか一項に記載の表示装置。
【請求項１２】
前記表示ユニットは、ＣＰＵを含み、更新データは、前記ＣＰＵのプログラムデータを更新するものであることを特徴とする請求項１から請求項１１のいずれか一項に記載の表示装置。
【請求項１３】
映像データを送信する送信ユニットと、
前記映像データを受信し、該映像データに基づき、映像を表示する複数の表示ユニットを有し、それぞれの前記表示ユニットが直列に接続され上流側の前記表示ユニットと前記送信ユニットとが接続された表示ユニット群とを備えた表示装置の更新方法であって、
前記送信ユニットから上流側の前記表示ユニットへ、前記複数の表示ユニットの機能を更新する更新データを送信し、
前記表示ユニット群は、上流側の前記表示ユニットから下流側の前記表示ユニットまで前記更新データを伝送し、前記表示ユニット群における前記更新データの記憶状況に関する情報を前記送信ユニットへ送信し、
前記更新データの記憶状況に関する情報に基づき、所定の更新データを再送信する
ことを特徴とする表示装置の更新方法。
【発明の詳細な説明】
【技術分野】
【０００１】
この発明は、記憶装置内に格納された表示装置の起動データの更新方法に関し、当該起動データを誤りなく更新して表示する表示装置、及び、その表示装置の更新方法に関する。
【背景技術】
【０００２】
公共施設、競技場、及び建物の壁面などに設置され、案内、競技の実況、及び広告などを表示する大画面表示装置は、映像データを送信する送信ユニットと、送信ユニットから送信された映像データを取得して表示する１または複数の表示ユニットを含んで構成される。表示ユニットには、映像データを表示するためのプログラムにより表示制御を行うＣＰＵ（Ｃｅｎｔｒａｌ  Ｐｒｏｃｅｓｓｉｎｇ  Ｕｎｉｔ：中央処理装置、以下、ＣＰＵとのみ記載する場合がある）及び回路構成をプログラマブルに変更することのできるＰＬＤ（Ｐｒｏｇｒａｍｍａｂｌｅ  Ｌｏｇｉｃ  Ｄｅｖｉｃｅ：以下、ＰＬＤとのみ記載する場合がある）、もしくは、ＣＰＵ又はＰＬＤのいずれかが搭載される。また、ＰＬＤ中にＣＰＵが構成されたものが搭載される場合もある。【０００３】
このような表示装置においては、表示装置を設置し、稼働を開始した後になって、機能、性能、及び品質の向上などを目的として、表示ユニットに設けられたＣＰＵのプログラムデータ、又は、ＰＬＤの回路データを更新する必要が生じる場合がある。この場合、複数の表示ユニットを含んで構成される表示装置であれば、複数の表示ユニットの１つ１つについて、手作業でプログラムデータや回路データを更新しようとすると、時間がかかるとともに作業量も多大となる。【０００４】
そのため、送信ユニットから更新データを送信し、それを各表示ユニットが受信し、各表示ユニット内に記憶されているデータを更新するリモートアップデートが行われる。【０００５】
このとき、更新データを送信ユニットから表示ユニットへ送信する際に、ノイズなどの影響による伝送誤りが発生する場合がある。伝送誤りが発生した場合には、ＣＰＵ又はＰＬＤが正常に動作しなくなる可能性がある。そのため、更新の際には、誤りのない形でデータを更新する必要がある。【０００６】
このような更新の際の誤り防止技術としては、例えば、通信機能を備えたＦＰＧＡ（ｆｉｅｌｄ‐ｐｒｏｇｒａｍｍａｂｌｅ  ｇａｔｅ  ａｒｒａｙ：以下、ＦＰＧＡとのみ記載する場合がある）と、ＦＰＧＡの動作を設定する回路データを記憶する不揮発性メモリと、不揮発性メモリから回路データを読み出してＦＰＧＡに書き込む制御手段とを備え、不揮発性メモリは、全機能を含む回路データを記憶する第１領域と、第１の領域に記憶された回路データによるＦＰＧＡ動作が失敗したときに、外部装置から新しい回路データを受信して第１の領域に書き込みするための回路データを記憶する第２の領域を有している構成とした発明がある。（例えば、特許文献１参照）。【０００７】
この構成により、外部装置からの回路データを受信する際に、回路データに伝送誤りが発生した場合には、ＦＰＧＡが正常に動作しないため、再度、外部装置から回路データを送信し、不揮発性メモリに書き込む。これをＦＰＧＡが正常に動作するまで繰り返すことで、最終的に、誤りのない回路データが不揮発性メモリに記憶される。
【先行技術文献】
【特許文献】
【０００８】
【特許文献１】特開２００８−１８２３２７号公報（第６−１０頁、第１図）
【発明の概要】
【発明が解決しようとする課題】
【０００９】
上記特許文献１に係る発明では、外部装置から受信した回路データに伝送誤りが発生していた場合、一度ＦＰＧＡの起動に失敗し、回路データの全てを外部装置から再送信し、不揮発性メモリへ再書き込みが必要となる。このとき、再送信の前に、外部装置が複数の表示ユニットの１つずつに伝送誤りの有無をポーリングして確認する必要があり、その確認に時間を要するため、回路データの更新時間が長くなる。
【課題を解決するための手段】
【００１０】
この発明の表示装置は、映像データを送信する送信ユニットと、前記映像データを受信し、該映像データに基づき、映像を表示する複数の表示ユニットを有し、それぞれの前記表示ユニットが直列に接続され上流側の前記表示ユニットと前記送信ユニットとが接続された表示ユニット群と、を備え、前記送信ユニットは、上流側の前記表示ユニットへ、前記複数の表示ユニットの機能を更新する更新データを送信し、前記表示ユニット群は、上流側の前記表示ユニットから下流側の前記表示ユニットまで前記更新データを伝送し、前記表示ユニット群における前記更新データの記憶状況に関する情報を前記送信ユニットへ送信し、前記送信ユニットは、前記更新データの記憶状況に関する情報に基づき、所定の更新データを再送信するものである。
【発明の効果】
【００１１】
本発明によれば、送信ユニットが、受信データの誤り発生状況と受信データの不揮発性メモリへの書き込み状況を示すステータス情報を、複数の表示ユニットのそれぞれにポーリングして確認する必要がなく、複数の表示ユニットが、更新データの記憶状況に関する情報を伝達して送信ユニットへ伝えるため、回路データの更新時間を短縮することができ、また表示装置の構成を簡素化できるという効果を得られる。
【図面の簡単な説明】
【００１２】
【図１】この発明の実施の形態１の表示装置の構成を示すブロック図である。
【図２】この発明の実施の形態１の表示装置での表示ユニットの構成を示すブロック図である。
【図３】この発明の実施の形態１に係る表示装置の一例を示すブロック図である。
【図４】この発明の実施の形態１に係る表示装置における送信ユニットから出力される映像データを模式的に示した図である。
【図５】この発明の実施の形態１に係る表示装置における送信ユニットから送信される更新データを模式的に示した図である。
【図６】この発明の実施の形態１の表示装置での表示ユニットが受信する更新データの構成の一例を示す図である。
【図７】不揮発性メモリ内の更新データ格納領域を示す図である。
【図８】更新データの受信状況の一例を示す図である。
【図９】この発明の実施の形態１の表示装置での表示ユニットの構成を示すブロック図である。
【図１０】この発明の実施の形態１の表示装置での表示ユニットの構成を示すブロック図である。
【図１１】この発明の実施の形態２の表示装置の構成を示すブロック図である。
【図１２】この発明の実施の形態３の表示装置での表示ユニットの構成を示すブロック図である。
【図１３】この発明の実施の形態４の表示装置での表示ユニットの構成を示すブロック図である。
【図１４】この発明の実施の形態４の送信回数と誤り訂正符号との関係を示す図である。
【発明を実施するための形態】
【００１３】
実施の形態１．
次に、図面を用いて、この発明の実施の形態を説明する。以下の図面の記載において、同一又は類似の部分には、同一又は類似の符号を付している。但し、図面は模式的なものであり、各寸法の比率等は現実のものとは異なることに留意すべきである。したがって、具体的な寸法等は以下の説明を参酌して判断すべきものである。また、図面相互間においても互いの寸法の関係や比率が異なる部分が含まれていることは勿論である。
【００１４】
図１は、この発明の実施の形態１に係る表示装置の構成の一例を概略的に示すブロック図である。図において、表示装置１００は、例えば、公共施設、競技場、及び、建物の壁面などに、各種案内、競技の実況中継映像、及び、広告映像などの映像を表示する装置である。
【００１５】
表示装置１００は、通常、一つの送信ユニット１０１と複数の表示ユニット１０２とを備える。送信ユニット１０１には、複数の表示ユニット１０２が直列に接続される。送信ユニット１０１及び表示ユニット１０２、並びに、表示ユニット１０２及び表示ユニット１０２の間は、それぞれ、比較的通信速度の遅い制御データ線と比較的速度の速い映像データ線により接続される。このように、直列に接続することで、装置の回路や配線を簡素化する効果が得られる。なお、ここでは送信ユニットを一つとしたが、複数の表示ユニットから表示ユニット群を構成し、表示ユニット群毎に送信ユニットを設ける構成とし、複数の送信ユニットと複数の表示ユニット群とを備える構成としても構わない。また、通常表示ユニットは複数であるが、例えば、一つの送信ユニットに一つの表示ユニットを対応付けたものと、一つの送信ユニットに一つの表示ユニット群を対応付けたものとを組み合わせたような場合であって、一つの送信ユニットに一つの表示ユニットが対応する構成が含まれているような場合でも、本願発明の目的を達成するような構成も含まれる。
【００１６】
図２は、この発明の実施の形態１に係る表示装置における表示ユニットの内部構成を示した図である。図で示すように、表示ユニット１０２は、第１の受信部２０１、揮発性メモリ２０２、誤り検出部２０３、アドレスカウント部２０４、ステータス情報生成部２０５、書込み制御部２０６、第２の受信部２０７、不揮発性メモリ２０８、起動部２０９、第１の送信部２１０、第２の送信部２１１、表示制御部２１２、及び、表示デバイス２１３を備える。
【００１７】
第１の受信部２０１は、送信ユニット１０１又は送信ユニット１０１側（以下、上流と記載する場合がある）に接続されている隣の表示ユニット１０２から制御データ線経由で制御データを受信し、揮発性メモリ２０２へ格納する。
【００１８】
揮発性メモリ２０２は、受信した制御データを一時的に記憶する。
【００１９】
誤り検出部２０３は、受信した制御データが更新データである場合には、揮発性メモリ２０２から受信した制御データを読み出し、誤り検出を行い、当該検出結果を出力する。
【００２０】
アドレスカウント部２０４は、受信した更新データについて、誤りが発生するまでアドレスのカウントアップを行う。
【００２１】
書込み制御部２０６は、受信した更新データの先頭から誤りが発生する直前までのデータを不揮発性メモリ２０８に書き込む。
【００２２】
不揮発性メモリ２０８は、更新データを記憶する。ここで、不揮発性メモリ２０８に記憶された更新データは、図９又は図１０に示したＰＬＤ部又はＣＰＵ部における論理回路データ又はプログラムデータを更新するために使用される。
【００２３】
ＰＬＤ部２１４は、例えば、図９に示すように、第１の受信部２０１、揮発性メモリ２０２、誤り検出部２０３、アドレスカウント部２０４、ステータス情報生成部２０５、書込み制御部２０６、第２の受信部２０７、不揮発性メモリ２０８、起動部２０９、第１の送信部２１０、第２の送信部２１１、及び、表示制御部２１２を含んだ構成となる。この場合の更新データは、回路データであり、ＰＬＤ部２１４の論理回路を構成するために使用される。
【００２４】
ＣＰＵ部２１５は、例えば、図１０に示すように、誤り検出部２０３、アドレスカウント部２０４、ステータス情報生成部２０５、及び、書込み制御部２０６を含んだ構成となる。この場合の更新するデータは、プログラムデータであり、ＣＰＵ部２１５が各処理を実施するために使用される。
【００２５】
起動部２０９は、表示ユニット１０２の起動時に、不揮発性メモリ２０８に格納した更新データを読み込み、表示ユニット１０２を動作可能な状態にするための処理を行う。例えば、読み出した更新データをＰＬＤ部２１４に設定することで、ＰＬＤ部２１４の論理回路が動作可能となる。また、例えば、読み出した更新データがＣＰＵ部２１５で実行されることにより、各処理が行われる。
【００２６】
第２の受信部２０７は、送信ユニット１０１とは逆側（以下、下流と記載する場合がある）に接続されている隣の表示ユニット１０２から、隣接ステータス情報を受信する。
【００２７】
ステータス情報生成部２０５は、第２の受信部２０７で受信した隣接ステータス情報、アドレスカウント部２０４が出力するアドレス値、及び、書込み制御部２０６の書き込み状況に基づいて、ステータス情報を生成する。
【００２８】
第１の送信部２１０は、ステータス情報生成部２０５が生成するステータス情報を、第２の受信部２０７と接続されている表示ユニットとは異なる側、すなわち、上流に隣接する表示ユニット１０２、又は、送信ユニット１０１へ送信する。
【００２９】
表示制御部２１２は、送信ユニット１０１、又は、上流に隣接する表示ユニット１０２から映像データを受信し、受信した表示ユニット自らが表示する映像データの場合は、表示デバイス２１３へ出力する。自らが表示する映像データでは無い場合は、受信した側とは反対側に隣接する表示ユニット１０２へ映像データを送信する。
【００３０】
表示デバイス２１３は、表示制御部２１２から受信した映像データの表示を行う。
【００３１】
以下、送信ユニットの詳細な動作について説明する。例えば、送信ユニットとしては、映像等を供給するための映像サーバー機能を備えた装置等が考えられる。
【００３２】
送信ユニット１０１は、通常動作時は、表示ユニット１０２で表示する映像データを映像データ線経由で出力する。このとき、送信ユニット１０１は、複数の表示ユニット１０２にそれぞれ表示する各映像データを時分割多重し出力する。
【００３３】
以下、簡単に説明できるように、１つの送信ユニット１０１に４つの表示ユニット１０２が直列に接続されている場合を例に説明する。図３は、この発明の実施の形態１に係る表示装置の一例を示すブロック図である。図に示すように、送信ユニット１０１と、送信ユニット１０１に近い側から順に、表示ユニット１０２Ａ、表示ユニット１０２Ｂ、表示ユニット１０２Ｃ、及び、表示ユニット１０２Ｄが接続された構成とする。
【００３４】
図４は、この発明の実施の形態１に係る表示装置における送信ユニットから出力される映像データを模式的に示した図である。
【００３５】
送信ユニット１０１は、例えば、図４に示すように、表示ユニット１０２Ａで表示する映像データＡを送信し、次に、表示ユニット１０２Ｂで表示する映像データＢを送信し、次に、表示ユニット１０２Ｃで表示する映像データＣを送信し、次に、表示ユニット１０２Ｄで表示する映像データＤを送信する。これ以降は、映像データＡから映像データＤを同様に繰り返し送信する。なお、映像データＡからＤは、表示ユニット１０２ＡからＤに表示する映像の一部のデータであっても、時間的に変化する映像を順次送信するものであってもよい。
【００３６】
表示ユニット１０２は、ＰＬＤ部２１４を含んでおり、その部分の論理回路を変更することが可能である。これにより、表示機能を拡張したり、表示ユニット１０２の制御機能を拡張したりすることが可能である。
【００３７】
表示ユニット１０２の論理回路を更新する場合、送信ユニット１０１は、制御データ線経由で各表示ユニット１０２に更新データを送信する。このとき、各表示ユニット１０２に送信される更新データは同じデータであるものとする。
【００３８】
図５は、この発明の実施の形態１に係る表示装置における送信ユニットから送信される更新データを模式的に示した図である。表示ユニット１０２では、受信した更新データを揮発性メモリ２０２に一時記憶した後、不揮発性メモリ２０８へ書き込む。更新データの伝送時間に比べ、不揮発性メモリ２０８への書き込み時間の方が長い場合があるため、本実施の形態では、一時的に揮発性メモリ２０２に更新データを格納する構成としている。
そのため、送信ユニット１０１では、表示ユニット１０２の揮発性メモリ２０２の容量よりも小さいサイズに、更新データを分割し、その１つずつを順番に送信する。図５の更新データ１〜更新データＮは、分割した更新データの１つ１つを示している。なお、不揮発性メモリ２０８への書き込み時間が短ければ、特に、揮発性メモリ２０２に一時記憶する構成とする必要はない。
【００３９】
以下、詳細な動作について説明する。
【００４０】
通常動作時、表示ユニット１０２は、送信ユニット１０１から送信された映像データを受信し、表示する。
【００４１】
表示ユニット１０２の表示制御部２１２は、送信ユニット１０１又は上流に隣接する表示ユニット１０２のいずれかから送信された映像データを受信する。例えば、図３に示す構成の場合、表示ユニット１０２Ａの表示制御部２１２は、送信ユニット１０１から映像データ線経由で送信された映像データを受信する。表示ユニット１０２Ｂの表示制御部２１２は、表示ユニット１０２Ａから映像データ線経由で送信された映像データを受信する。表示ユニット１０２Ｃは、表示ユニット１０２Ｂから映像データ線経由で送信された映像データを受信する。表示ユニット１０２Ｄは、表示ユニット１０２Ｃから映像データ線経由で送信された映像データを受信する。
【００４２】
次に、表示制御部２１２は、受信した映像データの中から自らの表示ユニットに表示するデータと他の表示ユニットに表示するデータとを選別し、自らの表示ユニットに表示する映像データを表示デバイス２１３へ出力する。また、他の表示ユニットに表示する映像データを隣接する表示ユニットに出力する。例えば、表示ユニット１０２Ａの場合、図４に示した映像データのうち、自らの表示ユニットに表示する映像データＡを表示デバイス２１３へ出力する。また、図４に示した映像データのうち、他の表示ユニットに表示する映像データＢ〜Ｄは、自らの表示ユニットに表示する映像データではないため、隣の表示ユニット１２０Ｂへ送信する。以下、表示ユニットＢ〜Ｄでも同様の処理をおこなう。
【００４３】
次に、表示デバイス２１３は、表示制御部２１２から受け取った映像データを表示する。例えば、表示デバイス２１３は、複数のＬＥＤ素子及び当該ＬＥＤ素子を発光させるための駆動回路から成り、複数のＬＥＤ素子のそれぞれを発光させることで、映像データの表示を行う。
【００４４】
次に、表示ユニットのＰＬＤ部の回路を変更する場合の動作を示す。
【００４５】
表示ユニット１０２の第１の受信部２０１は、送信ユニット１０１又は上流に隣接する表示ユニット１０２のいずれかから送信された更新データを受信する。例えば、図３に示す構成の場合、表示ユニット１０２Ａの第１の受信部２０１は、送信ユニット１０１から制御データ線経由で送信された更新データを受信する。表示ユニット１０２Ｂの第１の受信部２０１は、表示ユニット１０２Ａから制御データ線経由で送信された更新データを受信する。表示ユニット１０２Ｃの第１の受信部２０１は、表示ユニット１０２Ｂから制御データ線経由で送信された更新データを受信する。表示ユニット１０２Ｄの第１の受信部２０１は、表示ユニット１０２Ｃから制御データ線経由で送信された更新データを受信する。
【００４６】
図５に示すように、送信ユニット１０１では、表示ユニット１０２の揮発性メモリ２０２の容量よりも小さいサイズに、更新データを分割し、その１つずつを順番に送信する。
【００４７】
表示ユニット１０２の第１の受信部２０１は、更新データ１〜更新データＮを順番に受信する。第１の受信部２０１は、受信した更新データを揮発性メモリ２０２へ書き込む。
このとき、揮発性メモリ２０２は、全ての更新データを格納するだけのサイズを有しない場合もあるため、更新データ１〜更新データＮの１つを揮発性メモリ２０２に記憶した後は、その更新データの処理が終わるまで、次の更新データの書き込み作業を行わない。
【００４８】
表示ユニット１０２の揮発性メモリ２０２は、受信した更新データを一時的に記憶しておくための一時蓄積バッファであり、更新データ１〜更新データＮを順次記憶する。そのため、揮発性メモリ２０２のサイズは、全ての更新データを格納するのに必要なサイズを持つ必要はなく、更新データ１〜更新データＮのうちの最大のサイズを格納できるだけの容量があれば良い。
【００４９】
表示ユニット１０２の誤り検出部２０３は、受信した更新データの誤りを検出する。誤り検出の方法は、例えば、チェックサム又はＣＲＣなどがある。図６に受信する更新データの一例を示す。図では、分割された更新データのうち更新データ１の構成を例示している。ここでは、誤り検出のために、チェックサムを使用する場合の例を示している。
【００５０】
更新データ１は、送信ユニット１０１において、所定のサイズに分割され、当該分割された更新データ１−０〜更新データ１−Ｍについて、それぞれのチェックサムを計算して、チェックサム１−０〜チェックサム１−Ｍを生成し、各更新データの後に付加する。誤り検出部２０３では、更新データ１−０〜更新データ１−Ｍのそれぞれについてチェックサムを計算し、計算結果と対応するチェックサム１−０〜チェックサム１−Ｍとの一致を確認する。誤り検出部２０３は、チェックサムが一致していれば誤りなし、チェックサムが不一致であれば誤りあり、として誤り検出結果を出力する。
【００５１】
アドレスカウント部２０４では、誤り検出部２０３から出力される誤り検出結果に基づき、アドレスをカウントする。例えば、図６に示した更新データ１を受信した場合、最初にアドレス値を０に初期化し、更新データ１−０の誤りがなければ、アドレス値に更新データ１−０のサイズＤＳＺ１−０を加算する。更新データ１−０に誤りがあった場合、アドレス値のカウントアップ動作を停止する。次に、アドレス値のカウントアップ動作が停止しておらず、かつ、更新データ１−１に誤りがなければ、アドレス値に更新データ１−１のサイズＤＳＺ１−１を加算する。更新データ１−１に誤りがあれば、アドレス値のカウントアップ動作を停止する。更新データ１−２〜更新データ１−Ｍについても同様に、誤りが無い限り、ＤＳＺ１−２〜ＤＳＺ１−Ｍの加算によるカウントアップ動作を行う。
【００５２】
この動作により、更新データ１にて最初の誤りが発生した領域の先頭アドレスが得られる。以下、このアドレスを誤り先頭アドレスと記載する場合がある。アドレスカウント部２０４では、更新データ１の処理が終了すると、誤り先頭アドレスの直前のアドレスを正常データの末尾アドレスとして出力する。以下、正常データの末尾アドレスを末尾アドレスとのみ記載する場合がある。
【００５３】
書込み制御部２０６は、受信した更新データのうち、先頭から、アドレスカウント部２０４から出力される末尾アドレスまでの範囲のデータを不揮発性メモリ２０８に書き込む。図７は、不揮発性メモリ内の更新データ格納領域を示す図である。不揮発性メモリ２０８は、更新データ１〜更新データＮのそれぞれを格納するために、更新データ１〜更新データＮのそれぞれの格納領域、更新データ１格納領域、更新データ２格納領域、・・・、更新データＮ格納領域を備える。更新データ１は、更新データに誤りがない場合には、更新データ１格納領域の先頭アドレスから、更新データ１−０、更新データ１−１、・・・、更新データ１−Ｍの順に全てのデータが書き込まれる。
【００５４】
更新データに誤りがある場合には、書込み制御部２０６では、更新データを書き込むアドレスがアドレスカウント部２０４から出力される末尾アドレスと一致するまで書込みを行う。図７は、例として、更新データ１−０〜更新データ１−７は誤りなしで、更新データ１−８に誤りが含まれていた場合を示している。更新データ１−０〜更新データ１−７までを書き込み、その書込み完了時点で、更新データを書き込むアドレスとアドレスカウント部２０４から出力された末尾アドレスとが一致するため、書込みを停止し、更新データ１−８〜更新データ１−Ｍは書き込まない。
【００５５】
起動部２０９は、表示ユニット１０２の起動時に、不揮発性メモリ２０８に格納した更新データを読み込み、ＰＬＤ部２１４に設定することで、表示ユニット１０２を動作可能な状態にする。更新データが不揮発性メモリ２０８の更新データ１格納領域〜更新データＮ格納領域に格納されているとき、起動部２０９は、更新データ１格納領域〜更新データＮ格納領域に格納された更新データを読み出し、ＰＬＤ部２１４に設定することにより、ＰＬＤ部２１４が、更新データにより更新された構成の回路として動作可能となる。
【００５６】
第２の送信部２１１は、第１の受信部２０１により受信した更新データを、第１の受信部２０１の接続先とは反対側、すなわち、下流に隣接する表示ユニット１０２に送信する。
【００５７】
第２の受信部２０７は、下流に隣接する表示ユニット１０２から、ステータス情報を受信し、隣接ステータス情報として、送信ユニット又は上流側に隣接する表示ユニットに出力する。例えば、図３に示した構成の場合、表示ユニット１０２Ａは、表示ユニットＢからステータス情報を受信し、隣接ステータス情報として表示ユニット１０２Ａのステータス情報生成部２０５に出力する。表示ユニット１０２Ｂは、表示ユニット１０２Ｃからステータス情報を受信し、隣接ステータス情報として表示ユニット１０２Ｂのステータス情報生成部２０５に出力する。表示ユニット１０２Ｃは、表示ユニット１０２Ｄからステータス情報を受信し、隣接ステータス情報として表示ユニット１０２Ｃのステータス情報生成部２０５に出力する。表示ユニット１０２Ｄは、下流に隣接する表示ユニット１０２が存在しないため、隣接ステータス情報が存在しないことを表示ユニット１０２Ｄのステータス情報生成部２０５に出力する。
【００５８】
ステータス情報生成部２０５は、アドレスカウント部２０４から出力された末尾アドレス、並びに、第２の受信部２０７から出力された隣接ステータス情報及び書込み制御部２０６の書き込み状況に基づいて、ステータス情報を生成する。ここでは、ステータス情報として、更新データ１の内、誤り無く受信できた末尾のアドレス情報を使用する場合を例として説明する。
【００５９】
このとき、対象である表示ユニット１０２は、所定の条件により、アドレスカウント部２０４から出力された末尾アドレス情報、又は、隣接ステータス情報として示される隣接表示ユニット１０２から送信される末尾アドレス情報のいずれかを選択して、自らのステータス情報として出力する。以下、隣接ステータス情報として示される隣接表示ユニット１０２から送信される末尾アドレス情報を隣接末尾アドレス情報と記載する場合がある。
所定の条件としては、例えば、末尾アドレスと隣接末尾アドレスの内、どちらか小さい方を出力するという条件があげられる。同じ場合であれば、予めどちらを出力するか決めておくか、どちらを出力しても構わないという条件にすればよい。
【００６０】
第１の送信部２１０は、ステータス情報生成部２０５で選択され出力されたステータス情報を送信ユニット１０１又は上流に隣接する表示ユニットへ出力する。図３に示した構成の場合、表示ユニット１０２Ａは、送信ユニット１０１へステータス情報を出力する。
表示ユニット１０２Ｂは、表示ユニット１０２Ａへステータス情報を出力する。表示ユニット１０２Ｃは、表示ユニット１０２Ｂへステータス情報を出力する。表示ユニット１０２Ｄは、表示ユニット１０２Ｃへステータス情報を出力する。
【００６１】
送信ユニット１０１は、更新データ１〜更新データＮのそれぞれを送信終了すると、制御データ線経由で、各表示ユニット１０２へ応答要求コマンドを送信する。図３に示す構成の場合、応答要求コマンドは、送信ユニット１０１から表示ユニット１０２Ａ、表示ユニット１０２Ｂ、表示ユニット１０２Ｃ、表示ユニット１０２Ｄの順に伝送される。一番端に位置する表示ユニット１０２Ｄに応答要求コマンドが届くと、表示ユニット１０２Ｄの第２の受信部２０７、ステータス情報生成部２０５、第１の送信部２１０が動作し、ステータス情報を表示ユニット１０２Ｃへ送信する。表示ユニット１０２Ｃでは、表示ユニット１０２Ｄからステータス情報が入力されると、表示ユニット１０２Ｃの第２の受信部２０７、ステータス情報生成部２０５、第１の送信部２１０が動作し、ステータス情報を表示ユニット１０２Ｂへ出力する。表示ユニット１０２Ｂでは、表示ユニット１０２Ｃからステータス情報が入力されると、表示ユニット１０２Ｂの第２の受信部２０７、ステータス情報生成部２０５、第１の送信部２１０が動作し、ステータス情報を表示ユニット１０２Ａへ出力する。表示ユニット１０２Ａでは、表示ユニット１０２Ｂからステータス情報が入力されると、表示ユニット１０２Ａの第２の受信部２０７、ステータス情報生成部２０５、第１の送信部２１０が動作し、ステータス情報を送信ユニット１０１へ出力する。
【００６２】
また、ステータス情報の送信は、いずれの表示ユニット１０２においても、書込み制御部２０６にて、書込みアドレスがアドレスカウント部２０４から出力される末尾アドレスと一致するまで、更新データ１の書込みを行った後で行うこととする。
【００６３】
以上説明した動作に基づき図８に示すように、表示ユニット１０２Ａ〜表示ユニット１０２Ｄのそれぞれの末尾アドレスのうち最小のアドレス値、この場合はＡＢが送信ユニット１０１へ伝達される。このとき、送信ユニット１０１から、表示ユニット１０２Ａ〜表示ユニット１０２Ｄのそれぞれに対し、順次個別に応答要求を出して、それぞれから順次応答を得る必要が無くなるため、応答要求の送信時間を短縮できるという効果がある。また、送信ユニット１０１は、表示ユニット１０２Ａ〜表示ユニット１０２Ｄからの応答のそれぞれに対して処理を行う必要がなく、表示ユニット１０２Ａからの応答のみに対して処理を行えば良いため、ミスもなく短時間で処理できるという効果がある。
【００６４】
送信ユニット１０１では、表示ユニット１０２Ａからステータス情報を受信すると、ステータス情報（この例では末尾アドレス）と先に送信した更新データ１の末尾のアドレスとを比較する。受信したステータス情報が更新データ１の末尾のアドレスと一致している場合、更新データ１が全ての表示ユニット１０２に誤りなく伝送されたと判断し、更新データ２の送信に移る。受信したアドレス値が更新データ１の末尾アドレスと一致していない場合、更新データ１の送信の途中で誤りが発生したと判断し、受信したステータス情報（この例では末尾アドレス）以降の更新データを再び送信する。図７に示した例では、受信したステータス情報は、更新データ１の更新データ１−７の末尾を示しているため、その次の更新データ１−８から更新データ１−Ｍまでを再送信する。以上の動作を更新データ１の全てが表示ユニットに誤りなく伝送されたと判断するまで、繰り返し行う。
【００６５】
送信ユニット１０１が更新データ１の再送信が開始されると、表示ユニット１０２は、上記説明した動作を再度実施する。ただし、表示ユニット１０２のアドレスカウント部２０４から出力される末尾のアドレスのデータを受信するまでは、誤り検出部２０３、アドレスカウント部２０４、及び、書込み制御部２０６は、動作を停止し、アドレスカウント部２０４から出力される末尾のアドレス以降のデータについて、誤り検出部２０３、アドレスカウント部２０４、及び、書込み制御部２０６は、動作する。図７に示した例の場合、末尾アドレスが更新データ１−７の末尾を示しているため、更新データ１−８から更新データ１−Ｍに対して処理を行う。このようにすることで、誤り無く受信でき、不揮発性メモリ２０８に書込み済みの更新データについては再び書き込むことをせず、誤りの発生した以降の更新データを不揮発性メモリ２０８へ書き込むことが可能となる。
【００６６】
更新データ２〜更新データＮについても、上記説明したのと同様に、送信ユニット１０１から送信され、表示ユニット１０２にて受信および不揮発性メモリ２０８への書き込みが行われる。
【００６７】
また、以上、図３の構成を例にとり説明したが、表示ユニット１０２の数は４つに限られるものではなく、２以上の複数の表示ユニット１０２について実施が可能である。
【００６８】
また、表示ユニット１０２が１つであっても、上記説明した方法での更新データの書き込み動作が可能なことはいうまでもない。
【００６９】
以上に記載したように、この発明の実施の形態１における表示装置及び表示方法では、誤りがあった更新データ以降を再送信するため、更新データを確実に誤りなく書き込むことができる。
【００７０】
また、更新データの受信誤りがあったとき、全データを再送信するのでなく、誤りが見つかったアドレス以降の更新データを送信するため、更新時間を短縮できる。
【００７１】
このとき、受信誤りのあった回路データを大きなブロック単位で再送信する代わりに、アドレス単位で細かく再送信する範囲を指定できるため、必要最小限の回路データのみを再送信するだけでよく、回路データの伝送を効率化することが可能となる。
【００７２】
また、受信誤りのあった回路データを大きなブロック単位で不揮発性メモリに再書き込みする代わりに、誤りのあったアドレス以降の回路データのみを不揮発性メモリに書き込むことで、書き込み時間を短縮するという効果が得られる。
【００７３】
また、多数の表示ユニットの更新データを同時に更新することが可能となる。
【００７４】
また、送信ユニットが、複数の表示ユニットへの書き込み完了状況をそれぞれの表示ユニットにポーリングして確認する必要がなく、複数の表示ユニットが、書込み完了状況を順に伝達して送信ユニットへ伝えるため、複雑な処理をする必要が無く、更新時間を短縮することができる。
【００７５】
また、更新データの受信誤りがあったとき、表示ユニットでは、前回の更新データ送信時に誤りがあった箇所以降の更新データを不揮発性メモリに書き込むため、書込み時間が短縮できるとともに、誤りなく書き込まれたデータまで再度書き込む必要が無く、書き込み回数が少なくできるため不揮発性メモリへの物理的な負担を少なくすることができる。
結果として、同一メモリを使用する場合には、動作寿命を長くすることが可能となる。
【００７６】
なお、上記では、図２に基づき、図９で示すように表示ユニットの不揮発性メモリに、ＰＬＤ部の回路データが格納された構成で説明したが、図１０に示すように、表示ユニットはＣＰＵ部を備え、回路データの代わりにＣＰＵにて実行するプログラムデータを揮発性メモリに格納し、送信ユニットからは更新データとして、回路データの代わりにプログラムデータを送信し、表示ユニットでは、先に述べた更新データが回路データの場合の処理と同様に、更新データとしてプログラムデータを処理することも可能である。この場合、表示ユニットの不揮発性メモリに格納するプログラムデータを誤りなく更新することが可能となる。
【００７７】
また、ＰＬＤ部中にＣＰＵ部が含まれるような構成では、不揮発性メモリに回路データ及びプログラムデータの両方が格納される場合、回路データとプログラムデータの両方を誤りなく更新することが可能となる。さらに、ＰＬＤとＣＰＵとをそれぞれ備えるような構成であっても、ＰＬＤとＣＰＵとがそれぞれアクセス可能な不揮発性メモリに回路データ及びプログラムデータの両方が格納される場合、回路データとプログラムデータの両方を誤りなく更新することが可能となる。
【００７８】
実施の形態２．
上記実施の形態１では、送信ユニットに全ての表示ユニットが直列に接続される構成を説明したが、図１１に示すように、送信ユニットに、直列に接続された表示ユニット群を、並列に複数接続する構成としても良い。
【００７９】
このような構成をとることにより、全ての表示ユニットを直列に接続した場合に比べ、直列に接続する表示ユニットの数が減るので、映像データ線により送信する映像データの量が減るため、より短時間で映像データの伝送が可能となるとともに、同じ時間で伝送することを考えれば、映像データ線の伝送速度を低く抑えることができ、誤り等が少なくなるという効果が得られる。また、伝送速度が低いデータ線を使用することも可能となる。
【００８０】
なお、上記実施の形態では、制御データを送受信する制御データ線と、映像データを送信する映像データ線を分ける形で記載したが、特に分離した２つのデータ線とする必要はなく、１つのデータ線で制御データと映像データのやり取りを行ってもよく、映像データに制御データを多重する形で、一つのデータストリームとして送信しても構わない。制御データと映像データのやり取りができるのであれば、特に送受信の形態にはこだわらない。例えば、ツイストケーブルを用いた双方向通信でも構わないし、有線ではなく無線によるデータのやり取りでも構わない。
【００８１】
なお、上記実施の形態では、下流側から末尾アドレス情報を比較して小さい方をステータス情報として上流側に送信していたが、上流側から末尾アドレス情報を比較して小さい方をステータス情報として最下流の表示ユニットに伝達し、最下流の表示ユニットからのステータス情報を各表示ユニットが送信ユニットまで転送する構成としても同様の効果が得られる。
【００８２】
また、上記実施の形態では、アドレス情報をステータス情報としていたが、更新データの記録容量情報等、どこまで更新データが各表示ユニットで記憶されたかを示すような情報であれば、特にアドレス情報にとらわれないが、アドレスで指定する方がやり取りする情報が少なくて済む場合も多い。
【００８３】
実施の形態３．
図１２は、実施の形態３に係る表示装置における表示ユニットの内部構成を示した図である。本実施の形態における表示ユニット１０２は、第１の受信部２０１、揮発性メモリ２０２、誤り検出部２０３、アドレスカウント部２０４、ステータス情報生成部２０５、書込み制御部２０６、第２の受信部２０７、不揮発性メモリ２０８、起動部２０９、第１の送信部２１０、第２の送信部２１１、表示制御部２１２、表示デバイス２１３、及び、誤りカウント部２１６を備える。すなわち、実施の形態１で示した表示ユニット１０２の構成に対して、誤りカウント部２１６がさらに備えられた構成となる。
【００８４】
誤りカウント部２１６は、誤り検出部２０３の検出結果の誤りの発生回数をカウントする。例えば、誤りカウント部２１６では、初期段階において初期値０の誤りカウント数を保持しておき、誤り検出部２０３の検出結果が、誤りありのとき、誤りカウント数を１増やすことで、誤り検出部２０３で発生した誤りの回数をカウントする。初期段階とは、例えば表示装置の電源を起動した段階、又はユーザーからリセット指示を取得した場合に戻される段階などをいう。
【００８５】
さらに、誤りカウント部２１６では、所定の閾値よりも誤りカウント数が大きくなったとき、誤り頻発情報をステータス情報生成部２０５に通知する。ステータス情報生成部では、誤りカウント部２１６から、誤り頻発情報を受け取ったとき、第１の送信部２１０経由で、隣の表示ユニット３０２または、送信ユニット１０１に通知する。
【００８６】
このとき、誤り頻発情報とともに、誤り頻発表示ユニット情報として、自表示ユニットの識別子も通知する。表示ユニットの識別子は、それぞれの表示ユニットごとにユニークな識別子を割り振るものであって、例えば、図３に示す構成の場合、表示ユニット、１０２Ａ、１０２Ｂ、１０２Ｃ、１０２Ｄのそれぞれに対して、ＩＤ＿Ａ、ＩＤ＿Ｂ，ＩＤ＿Ｃ、ＩＤ＿Ｄのように割り振っておく。
【００８７】
図３の表示ユニット１０２Ｃで誤りが多発した場合、誤り頻発情報及びＩＤ＿Ｃを示す誤り頻発表示ユニット情報が表示ユニット１０２Ｂ、表示ユニット１０２Ａ経由で、送信ユニット１０１に通知される。
【００８８】
送信ユニット１０１では、誤り頻発情報及び誤り頻発ユニット情報により、表示ユニット１０２Ｃにて、初期段階から数えて所定の閾値よりも誤りが発生したことが分かる。この情報をもとに、メンテナンス作業者は、誤りが多発している表示ユニットを見つけることができる。図３に示す構成では、表示ユニットは４つのみであるが、本発明が対象としている表示装置では、数百の表示ユニットが接続される構成を想定しており、誤り頻発情報及び誤り頻発ユニット情報が無い場合、誤りが多発している表示ユニットを、メンテナンス作業者が知ることは難しい。これに対し、誤り頻発情報及び誤り頻発ユニット情報により、メンテナンス作業者が、調子の悪い表示ユニットを知ることが容易になり、メンテナンス作業を効率化できるという効果がある。
【００８９】
ここで、表示ユニットの識別子は番号であっても良い。つまり、表示ユニットが４台までであれば２ｂｉｔで、２５６台までであれば８ｂｉｔあればユニークな番号を割り当てることができる。
【００９０】
実施の形態４．
図１３は、実施の形態４に係る表示装置における表示ユニットの内部構成を示した図である。本実施の形態における表示ユニット１０２は、第１の受信部２０１、揮発性メモリ２０２、誤り検出・訂正部４０３、アドレスカウント部２０４、ステータス情報生成部２０５、書込み制御部２０６、第２の受信部２０７、不揮発性メモリ２０８、起動部２０９、第１の送信部２１０、第２の送信部２１１、表示制御部２１２、及び、表示デバイス２１３を備える。すなわち、実施の形態１で示した表示ユニット１０２の構成に対して、誤り検出部２０３を誤り検出・訂正部４０３に置き換えた構成となる。
【００９１】
図１４は、本実施の形態での更新データの送信回数と誤り訂正符号との関係を示す図である。本実施の形態では、最初は、実施の形態１と同様に誤り訂正符号を使用せず、送信ユニット１０１から更新データを送信する。表示ユニット１０２では、実施の形態１と同様に、第１の受信部２０１で更新データを受信し、不揮発性メモリ２０２に格納し、さらに誤り検出・訂正部４０３に、更新データを渡す。
【００９２】
誤り検出・訂正部４０３は、実施の形態１と同様に誤り検出を行い、誤りを検出した場合、実施の形態１と同様に、アドレスカウント部２０４、ステータス情報生成部２０５、第１の送信部２１０により、ステータス情報を送信し、この情報を基に、送信ユニット１０１は、更新データを再送信する。
【００９３】
このとき、本実施の形態では、再送信１回目のときは、誤り訂正符号１により、誤り訂正符号化した更新データを送信する。表示ユニット１０２では、実施の形態１と同様に、再送信１回目の更新データを受信し、誤り検出・訂正部４０３にて、誤り検出を行うが、更に、誤り訂正も行う。
【００９４】
誤り検出・訂正部４０３の誤り訂正により、誤りを全て訂正できた場合、誤り検出・訂正部４０３から、アドレスカウント部２０４には、誤り無しとして通知する。また、誤り訂正後の更新データを書き込み制御部２０６に渡し、不揮発性メモリ２０８に書き込む。これにより、実施の形態１では、再送信が必要となっていた場合でも、再送信が不要になり、より効率よく更新データを送信することが可能となる。
【００９５】
一方、誤り検出・訂正部４０３の誤り訂正により、誤りを全ては訂正できなかった場合、誤り検出・訂正部４０３から、アドレスカウント部２０４には、誤りありとして通知する。このとき、実施の形態１と同様に、誤りの発生した更新データは、不揮発性メモリ２０８に書き込まない。さらに、実施の形態１と同様に、アドレスカウント部２０４、ステータス情報生成部２０５、第１の送信部２１０により、ステータス情報を送信し、この情報を基に、送信ユニット１０１は、更新データを再送信する。
【００９６】
図１４に示すように、再送信２回目のときは、誤り訂正符号２により、誤り訂正符号化した更新データを再送信する。誤り訂正符号２は、誤り訂正符号１よりも誤り訂正能力の高いものを使用する。表示ユニット１０２では、再送信１回目と同様に、再送信２回目の更新データを受信し、誤り検出・訂正部４０３にて、誤り検出・誤り訂正を行う。
【００９７】
再送信２回目では、再送信１回目よりも、誤り訂正能力の大きい誤り訂正符号を使用しているため、より効率良く、誤り訂正を行うことができる。
【００９８】
再送信２回目で誤りが発生し、全ての誤りが訂正できなかった場合は、同様に、再送信３回目、４回目といように、全ての誤りが訂正できるまで、再送信する。このとき、図１４に示すように誤り訂正符号は、より誤り訂正能力の高いものに変えていく。これにより、より効率良く、誤り訂正を行うことが可能となる。
【００９９】
誤り訂正符号としては、例えば、ＢＣＨ符号やリードソロモン符号を使用することが可能である。このとき、生成多項式の次数により、誤り訂正能力を変更することが可能である。生成多項式の次数を増やすことにより、誤り訂正能力を高くすることができる。ただし、生成多項式の次数を増やすことにより、誤り訂正符号化後の更新データのサイズは大きくなる。このため、初回の送信時から、誤り訂正能力の高い誤り訂正符号を使用するのは、好ましくない。そのため、再送信毎に、誤り訂正能力の高いものに変更していく。これにより、更新データを効率良く送ることが可能となる。
【０１００】
なお、初回の更新データの送信には誤り訂正符号を使用しない方法で説明をしたが、初回の更新データの送信に再送１回目に使用する誤り訂正符号よりも誤り訂正能力の弱い誤り訂正符号を使用することで、表示ユニットで受信したデータの誤り頻度が多い表示装置の環境においては結果的に再送回数を削減することができ、更新データの効率を向上できる。
【符号の説明】
【０１０１】
１００  表示装置、１０１  送信ユニット、１０２  表示ユニット、２０１  第１の受信部、２０２  揮発性メモリ、２０３  誤り検出部、２０４  アドレスカウント部、２０５  ステータス情報生成部、２０６  書込み制御部、２０７  第２の受信部、２０８  不揮発性メモリ、２０９  起動部、２１０  第１の送信部、２１１  第２の送信部、２１２  表示制御部、２１３  表示デバイス、２１４  ＰＬＤ部、２１５  ＣＰＵ部、２１６  誤りカウント部、４０３  誤り検出・訂正部。
【図１】
2017104218.tif 000003
【図２】
2017104218.tif 000004
【図３】
2017104218.tif 000005
【図４】
2017104218.tif 000006
【図５】
2017104218.tif 000007
【図６】
2017104218.tif 000008
【図７】
2017104218.tif 000009
【図８】
2017104218.tif 000010
【図９】
2017104218.tif 000011
【図１０】
2017104218.tif 000012
【図１１】
2017104218.tif 000013
【図１２】
2017104218.tif 000014
【図１３】
2017104218.tif 000015
【図１４】
2017104218.tif 000016
【国際調査報告】
2017104218.tif 000017
2017104218.tif 000018